(57)【要約】【課題】本発明は、弾性片とデータラインプラグとの接触不良を引き起こさないコネクタを提供する。【解決手段】本発明のコネクタは、絶縁本体とハウジングとを備え、絶縁本体は、互いに対向して設けた正面部及び背面部と、互いに対向して設けた頂面部及び底面部と、互いに対向して設けた一対の側面部と、正面部から背面部に向かい窪んだ収容空間と、一対の側面部の正面部に近接する側に互いに対向して設けた一対の第一開口部と、を有し、ハウジングは、絶縁本体を被覆し一対の第一開口部に対応すると共に収容空間に向かい延在する一対の第一弾性片を有する。【選択図】図１
2010103107.tif 000002
【特許請求の範囲】
【請求項１】
絶縁本体と、
ハウジングと、を備えてなるコネクタであって、
前記絶縁本体は、互いに対向して設けられている正面部及び背面部と、互いに対向して設けられている頂面部及び底面部と、互いに対向して設けられている一対の側面部と、前記正面部から前記背面部に向かって窪んでいる収容空間と、前記一対の側面部の前記正面部に近接する側に、互いに対向して設けられている一対の第一開口部と、を備え、
前記ハウジングは、前記絶縁本体を被覆し、前記一対の第一開口部に対応すると共に前記収容空間に向かって延在する一対の第一弾性片を備え、
前記絶縁本体と前記ハウジングとの間に設置される固定部材をさらに備え、
前記絶縁本体には、前記背面部及び前記一対の側面部を囲み、且つ前記一対の第一開口部と連通する収容溝が設けられ、
前記固定部材は、前記収容溝に嵌合される固定部と、前記固定部の両端から前記収容空間に向かって延在し、前記一対の第一弾性片に隣接する一対の係合部と、を有しており、該一対の係合部は、前記底面部に向かって延在し、前記第一弾性片と前記ハウジングの側壁との間に配置される一対の第二弾性片を有する、ことを特徴とするコネクタ。
【請求項２】
前記一対の第一開口部と前記正面部との間には、前記一対の第一開口部と連通する一対の切り欠きが互いに対向して設けられ、該切り欠きは、前記側面部から内側に向かって延びる溝状部であることを特徴とする請求項１に記載のコネクタ。
【請求項３】
前記ハウジングは、前記絶縁本体の一対の側面部に対応する一対の側壁を備え、前記一対の側壁には、前記第一開口に対応する第二開口が設けられ、前記第一弾性片は、前記一対の第二開口の前記正面部に近接する一端から、前記収容空間に向かって一定の角度で延在していることを特徴とする請求項１に記載のコネクタ。
【請求項４】
前記第一及び二弾性片は「Ｖ」字形であって、前記収容空間内において折り曲げられている第一及び二凸状部を有することを特徴とする請求項１に記載のコネクタ。
【請求項５】
前記固定部の厚さは、前記収容溝の深さより厚いことを特徴とする請求項１に記載のコネクタ。
【発明の詳細な説明】
【技術分野】
【０００１】
本発明は、コネクタに関する。
【背景技術】
【０００２】
コネクタは、コンピュータなどの電子設備に広く用いられている。従来のコネクタは、ハウジングと、該ハウジングに設置される絶縁本体と、を備えている。前記ハウジングには、一対の弾性片が互いに対向して設けられており、前記絶縁本体には、前記一対の弾性片を露出させる一対の開口部が設けられている。前記絶縁本体に挿入されるデータラインプラグは、前記一対の弾性片を変形させることによって、自身を絶縁本体に固定させる。前記弾性片は繰り返し使用されるので、その弾性は徐々に失われることになる。従って、前記弾性片とデータラインプラグとの接触不良を引き起こしてしまう。
【発明の概要】
【発明が解決しようとする課題】
【０００３】
本発明の目的は、前記課題を解決するためのコネクタを提供することである。
【課題を解決するための手段】
【０００４】
前記目的を達成するため、本発明に係るコネクタは、絶縁本体とハウジングとを備えており、前記絶縁本体は、互いに対向して設けられている正面部及び背面部と、互いに対向して設けられている頂面部及び底面部と、互いに対向して設けられている一対の側面部と、前記正面部から前記背面部に向かって窪んでいる収容空間と、前記一対の側面部における前記正面部に近接する側に、互いに対向して設けられている一対の第一開口部、を有し、前記ハウジングは前記絶縁本体を被覆し、前記一対の第一開口部に対応すると共に前記収容空間に向かって延在する一対の第一弾性片を有している。さらに、前記絶縁本体と前記ハウジングとの間に設けられる固定部材を備え、前記絶縁本体には、前記背面部及び前記一対の側面部を囲み、且つ前記一対の第一開口部と連通する収容溝が設けられる。前記固定部材は、前記収容溝に嵌合される固定部と、前記固定部の両端から前記収容空間に向かって延在し、前記一対の第一弾性片に隣接する一対の係合部と、を有しており、該一対の係合部は、前記底面部に向かって延在し、前記第一弾性片と前記ハウジングの側壁との間に配置される一対の第二弾性片を有する、ことを特徴としている。
【発明の効果】
【０００５】
本発明のコネクタにおいて、前記第一弾性片と前記ハウジングの側壁との間に前記第二弾性片を設けることにより、前記第一弾性片が弾性を失って復元できない時、前記第二弾性片が前記第一弾性片を復元させて、前記第一弾性片と前記データラインプラグとの良好な接触を実現する。
【図面の簡単な説明】
【０００６】
【図１】本発明の実施形態に係るコネクタの立体分解図である。
【図２】本発明の実施形態に係るコネクタの、他の角度からの立体分解図である。
【図３】本発明の実施形態に係るコネクタの、ハウジングと固定部材の立体組立図である。
【図４】本発明の実施形態に係るコネクタの立体組立図である。
【発明を実施するための形態】
【０００７】
以下、図面を参照して、本発明の実施例について説明する。
【０００８】
図１及び図２を参照すると、本発明の実施形態に係るコネクタ１００は、絶縁本体１０と、ハウジング２０と、固定部材３０と、を備えている。
【０００９】
前記絶縁本体１０は、略直方体の構造であって、互いに対向して設けられている正面部１１及び背面部１２と、互いに対向して設けられている頂面部１３及び底面部１４と、互いに対向して設けられている一対の側面部１５と、を備えている。前記絶縁本体１０は、前記ハウジング２０によって被覆される。
【００１０】
前記絶縁本体１０は、前記正面部１１から前記背面部１２に向かって窪み、データラインプラグ（図示せず）の収容に用いられる収容空間１１１を有している。前記収容空間１１１の片側には、複数の接触部材１１２が設けられている。前記底面部１４には、前記絶縁本体１０から離れる方向へ延在する複数のピン１４１が設けられている。前記ピン１４１と前記接触部材１１２とは一体構造体である。
【００１１】
前記一対の側面部１５の、前記正面部１１に近接する側には、前記収容空間１１１に貫通する一対の第一開口部１５１が互いに対向して設けられている。前記一対の第一開口部１５１と前記正面部１１との間には、前記一対の第一開口部１５１と連通する一対の切り欠き１５２が互いに対向して設けられている。前記切り欠き１５２は、前記側面部１５から内側に向かって延びる溝状部である。前記背面部１２及び前記一対の側面部１５を囲んで収容溝１６が設けられ、該収容溝１６は前記一対の第一開口１５１と連通している。
【００１２】
前記ハウジング２０は、前記絶縁本体１０の一対の側面部１５に対応する、一対の側壁２２を備えている。本実施形態において、前記ハウジング２０は金属製である。
【００１３】
一対の側壁２２には、前記第一開口部１５１に対応する第二開口部２３が設けられている。一対の第二開口部２３の前記正面部１１に近接する一端から、前記収容空間１１１に向かって第一弾性片２４が一定の角度で延在している。また、一対の側壁２２の前記正面部１１に近接する一端に、該一端から離れる方向に前記切り欠き１５２に対応する延在部２５が延在している。本実施形態において、前記第一弾性片２４は略「Ｖ」字形であって、前記収容空間１１１内において折り曲げられる第一凸状部２４１を有している。前記収容空間１１１に挿入されるデータラインプラグは、前記第一弾性片２４の変形によって前記収容空間１１１に固定される。
【００１４】
前記ハウジング２０は、複数の半田接続用脚部（図示せず）をさらに備えることができ、該半田接続用脚部を回路基板（図示せず）に半田接続させ、前記ハウジング２０の接地を実現する。本実施形態において、前記ハウジング２０と回路基板とを直接的に接続して、接地と同時に良好な固定効果を得ることができる。
【００１５】
前記固定部材３０は、前記絶縁本体１０と前記ハウジング２０との間に設置され、固定部３１と、一対の係合部３２と、を備えている。本実施形態において、前記固定部材３０は金属製であるが、他の導電性材料であってもよい。
【００１６】
前記固定部３１は、略「Ｕ」字形であって、前記収容溝１６に嵌合し、且つ前記ハウジング２０の内壁と当接し、前記ハウジング２０が前記絶縁本体１０に対して揺れ動かないような役目をする。前記固定部３１の厚さは、前記収容溝１６の深さより少し厚い。
【００１７】
前記一対の係合部３２は、前記固定部３１の両端から前記収容空間１１１に向かって延在し、それぞれ、前記一対の第一弾性片２４と隣接している。この状態において、前記係合部３２は前記頂面部１３の側に位置し、前記第一弾性片２４は前記底面部１４の側に位置する。前記係合部３２は、第二弾性片３２１を有しており、該第二弾性片３２１は、前記底面部１４に向かって延在し、且つ前記第一弾性片２４と前記側壁２２との間に配置される。前記第二弾性片３２１の形状は、特に制限されるものではない。本実施形態において、前記第二弾性片３２１は略「Ｖ」字形であって、前記収容空間１１１内において折り曲げられている第二凸状部３２２を有している。
【００１８】
図３及び図４を参照すると、前記コネクタ１００を組み立てる時、先ず、前記固定部材３０を前記ハウジング２０に取り付け、前記第二弾性片３２１を前記第一弾性片２４と前記側壁２２との間に配置させる。続いて、前記ハウジング２０と前記固定部材３０とを前記絶縁本体１０に取り付けて、前記延在部２５を前記切り欠き１５２に対応させ、前記第一弾性片２４及び前記係合部３２を前記第一開口１５１に対応させる。最後に、前記固定部材３０を調整して、前記収容溝１６に対応させる。
【００１９】
前記データラインプラグを挿入する時、前記第一弾性片２４が前記データラインプラグに押圧されて変形し、同時に前記第二弾性片３２１も前記第一弾性片２４に押圧されて変形する。前記データラインプラグを抜き出す時、前記第二弾性片３２１が前記第一弾性片２４の復元を速める。従って、前記第一弾性片２４が弾性を失って復元できなくなると、前記第二弾性片３２１が前記第一弾性片２４を前記収容空間１１１へ復元させる。
【００２０】
本発明に係るコネクタは、前記第一弾性片２４と前記側壁２２との間に前記第二弾性片３２１を設けることにより、前記第一弾性片２４が弾性を失って復元できなくなると、前記第二弾性片３２１が前記第一弾性片２４を復元させ、前記第一弾性片２４と前記データラインプラグとの良好な接触を実現する。
【００２１】
以上、本発明を実施例に基づいて具体的に説明したが、本発明は、上述の実施例に限定されるものではなく、その要旨を逸脱しない範囲において、種々の変更が可能であることは勿論であって、本発明の保護範囲は、以下の特許請求の範囲から決まる。
【符号の説明】
【００２２】
１０  絶縁本体
１１  正面部
１２  背面部
１３  頂面部
１４  底面部
１５  側面部
１６  収容溝
２０  ハウジング
２２  側壁
２３  第二開口部
２４  第一弾性片
２５  延在部
３０  固定部材
３１  固定部
３２  係合部
１００  コネクタ  １１１  収容空間
１１２  接触部材
１４１  ピン
１５１  第一開口部
１５２  切り欠き
２４１  第一凸状部
３２１  第二弾性片
３２２  第二凸状部
【図１】
2010103107.tif 000003
【図２】
2010103107.tif 000004
【図３】
2010103107.tif 000005
【図４】
2010103107.tif 000006